(57)【特許請求の範囲】
【請求項１】
分電盤のキャビネットを取付金具を用いて壁材に取り付ける装置であって、取付金具を、キャビネットの内面に接合する固定挟持片と、壁材の裏面に接合する可動挟持片と、固定挟持片のボルト挿通孔に挿入され、先端部が可動挟持片のナット部に螺合して、キャビネットを壁材に締め付け可能な締付ボルトとから構成し、キャビネットに、可動挟持片をキャビネットの外部に露出させ得る大きさの開口と、開口の上部で締付ボルトを弾性把持する上部把持片と、開口の下部で締付ボルトを弾性把持する下部把持片とを設けたことを特徴とする分電盤取付装置。
【請求項２】
固定挟持片に可動挟持片を回り止めする案内部を折曲形成し、案内部に上部把持片及び下部把持片が嵌入する嵌入孔を形成した請求項１記載の分電盤取付装置。
【請求項３】
固定挟持片と可動挟持片との間において締付ボルトにコイルスプリングを嵌挿した請求項１又は２記載の分電盤取付装置。
【発明の詳細な説明】
【０００１】
【発明の属する技術分野】
本発明は、分電盤のキャビネットを取付金具を用いて壁材に取り付ける装置に関するものである。
【０００２】
【従来の技術】
従来、図８に示すように、住宅等の壁材Ｗに取付孔Ｗａを形成し、取付孔Ｗａに分電盤のキャビネット５１を嵌め、キャビネット５１に別部品である取付金具５２を装着し、取付金具５２のボルト５３により締付片５４を介し壁材側挟持片５５とキャビネット側挟持片５６とを締め付け、双方間にキャビネット５１の突片５７と壁材Ｗとを挟持して、キャビネット５１を壁材Ｗに取り付ける装置が知られている。
【０００３】
【発明が解決しようとする課題】
ところが、従来装置によると、以下のような問題点があった。
▲１▼  壁材Ｗにキャビネット５１とほぼ同大の大きな取付孔Ｗａを形成する必要があった。
▲２▼  取付金具５２がキャビネット５１から分離しているため、製品開梱時に取付金具５２を紛失するおそれがあった。
▲３▼  取付金具５２がキャビネット５１に保持されていないため、キャビネット５１を天井等に接近させて取り付ける場合に、キャビネット５１及び取付金具５２の両方を上下に位置調整する面倒があった。
▲４▼  取付金具５２の部品点数が増え、しかもキャビネット側挟持片５６を壁材側挟持片５５に開閉可能に組み付ける必要もあって、取付金具５２の製作費が高くついた。
▲５▼  キャビネット５１に突片５７及び金具掛止突起５８を設ける必要があり、キャビネット５１の製作費が高くついた。
【０００４】
そこで、本発明の課題は、壁材の取付孔を小さくでき、取付金具をキャビネットに組み付けた状態で出荷でき、取付金具を壁材に仮締めした状態でキャビネットの上下位置を容易に調整でき、取付金具及びキャビネットを安価に製作できる分電盤取付装置を提供することにある。
【０００５】
【課題を解決するための手段】
上記の課題を解決するために、請求項１の発明による分電盤取付装置は、分電盤のキャビネットを取付金具を用いて壁材に取り付ける装置であって、取付金具を、キャビネットの内面に接合する固定挟持片と、壁材の裏面に接合する可動挟持片と、固定挟持片のボルト挿通孔に挿入され、先端部が可動挟持片のナット部に螺合して、キャビネットを壁材に締め付け可能な締付ボルトとから構成し、キャビネットに、可動挟持片をキャビネットの外部に露出させ得る大きさの開口と、開口の上部で締付ボルトを弾性把持する上部把持片と、開口の下部で締付ボルトを弾性把持する下部把持片とを設けたことを特徴とする。
【０００７】
請求項２の発明による分電盤取付装置は、固定挟持片に可動挟持片を回り止めする案内部を折曲形成し、案内部に上部把持片及び下部把持片が嵌入する嵌入孔を形成したことを特徴とする。
【０００８】
請求項３の発明による分電盤取付装置は、固定挟持片と可動挟持片との間において締付ボルトにコイルスプリングを嵌挿したことを特徴とする。
【０００９】
【発明の実施の形態】
以下、本発明の実施の形態を図面に基づいて説明する。図１〜図７は一般住宅用のホーム分電盤のキャビネット１を取付金具２を用いて壁材Ｗに取り付ける装置を示すものである。図１に示すように、キャビネット１の四隅には長方形の開口３が透設されるとともに、開口３を塞ぐような形態で取付金具２が組み付けられている。
【００１０】
図２〜図６に示すように、取付金具２は、キャビネット１の内面に接合する固定挟持片４と、壁材Ｗの裏面に接合する可動挟持片５と、可動挟持片５を締め付ける締付ボルト６との３部品で構成されている。固定挟持片４には案内部７が直角に折曲形成され、案内部７に可動挟持片５の基端部８が嵌合する嵌合孔９が透設され、嵌合孔９により可動挟持片５が固定挟持片４に対し回り止めされ、かつ締付ボルト６の軸線方向へ移動可能に組み付けられている。
【００１１】
締付ボルト６は固定挟持片４のボルト挿通孔１０に挿入され、その先端部は可動挟持片５のナット部１１に螺合されている。可動挟持片５の先端には石膏ボード製の壁材Ｗに食い込む先鋭部１２が折曲形成されている。なお、キャビネット１の開口３は可動挟持片５をキャビネット１の外部に露出させ得る大きさで形成され、壁材Ｗの取付孔Ｗａは可動挟持片５を通過させ得る大きさで形成されている。
【００１２】
キャビネット１には、開口３の上部で締付ボルト６を弾性把持する一対の上部把持片１３が下端を開いた形態で突設されるとともに、開口３の下部で締付ボルト６を弾性把持する一対の下部把持片１４が上端を開いた形態で突設されている。そして、これらの把持片１３，１４と開口３とは、取付金具２をキャビネット１に対し上下方向へスライド可能に保持する金具保持部を構成している。なお、案内部７には把持片１３，１４が嵌入する嵌入孔１５が形成されている。
【００１３】
ホーム分電盤のキャビネット１を壁材Ｗに取り付ける場合には、図４に示すように、取付金具２がキャビネット１の上部把持片１３に予め組み付けられているため、そのままの状態で、まず、取付金具２の可動挟持片５を壁材Ｗの取付孔Ｗａに通して壁材Ｗの裏面側に配置し、締付ボルト６を軽く締め付けて、キャビネット１を壁材Ｗに仮締めする。次に、図５に示すように、キャビネット１を上方へスライドし、締付ボルト６を上部把持片１３から外して下部把持片１４に嵌合し、この状態で、締付ボルト６を強く締め付けて、キャビネット１を壁材Ｗに本締めする。
【００１４】
こうすれば、図６に示すように、キャビネット１をその上面が天井Ｃと接合する状態で壁材Ｗに見栄えよく簡単に取り付けることができる。また、キャビネット１を壁材Ｗに接合して取り付けるため、壁材Ｗの取付孔Ｗａを可動挟持片５とほぼ同じ大きさでごく小さく形成することができる。しかも、取付金具２がキャビネット１に予め組み付けられているため、製品開梱時に取付金具２を紛失するおそれもない。そのうえ、取付金具２を３部品で簡単に構成し、キャビネット１の形状を簡略化して、双方を安価に製作できる利点もある。
【００１５】
なお、本発明は上記実施形態に限定されるものではなく、例えば、図７に示すように、固定挟持片４と可動挟持片５との間において締付ボルト６にコイルスプリング１７を嵌挿してもよい。こうすれば、施工時における可動挟持片５のガタツキや壁材Ｗへの引っ掛かり等を防止することができる。その他、本発明の趣旨を逸脱しない範囲で各部の形状並びに構成を適宜に変更して実施することも可能である。
【００１６】
【発明の効果】
以上詳述したように、本発明の取付装置によれば、取付金具をキャビネットに組み付けた状態で出荷でき、取付金具を壁材に仮締めした状態でキャビネットの上下位置を容易に調整できるという優れた効果を奏する。
【図面の簡単な説明】
【図１】本発明の一実施形態を示す分電盤キャビネットの正面図である。
【図２】図１の分電盤の取付金具を示す斜視図である。
【図３】取付金具の下面図である。
【図４】取付金具の仮締め時の正面図である。
【図５】取付金具の本締め時の正面図である。
【図６】図５のＡ‐Ａ線断面図である。
【図７】取付金具の変更例を示す斜視図である。
【図８】従来の取付装置を示す断面図である。
【符号の説明】
１・・キャビネット、２・・取付金具、３・・開口、４・・固定挟持片、５・・可動挟持片、６・・締付ボルト、７・・案内部、１３・・上部把持片、１４・・下部把持片、１７・・コイルスプリング、Ｗ・・壁材、Ｗａ・・取付孔。
【図１】
0003542771.tif 000002
【図２】
0003542771.tif 000003
【図３】
0003542771.tif 000004
【図４】
0003542771.tif 000005
【図５】
0003542771.tif 000006
【図６】
0003542771.tif 000007
【図７】
0003542771.tif 000008
【図８】
0003542771.tif 000009